(57)【特許請求の範囲】
【請求項１】
化粧パネルの四辺に吹出口を設け、同吹出口に、支軸部により風向変更板を回動自在に軸支し、同風向変更板の両側に設けられた隣り合う回動軸を、前記化粧パネルのコーナ部で連結部材によって連結するとともに、前記コーナ部の何れか一ヶ所に、前記風向変更板を駆動する駆動モータを設けてなる天井埋込型空気調和機において、
前記風向変更板の隣り合う回動軸の長手方向に、軸芯からほぼ同じ位置にずらせた係合孔を穿設する一方、前記連結部材を、前記係合孔に対応して略直角状に折曲形成し、同連結部材の両端部を前記係合孔の円周方向に対し摺動自在に係合して、前記隣り合う回動軸を連結するようにしたことを特徴とする天井埋込型空気調和機。
【請求項２】
前記係合孔と、これに対応する前記連結部材とを夫々複数設け、これら複数の連結部材の両端部を複数の係合孔の円周方向に対し摺動自在に係合して、前記隣り合う回動軸を連結するようにしたことを特徴とする請求項１に記載の天井埋込型空気調和機。
【請求項３】
前記連結部材の両真直部に、同連結部材の折曲部が前記係合孔に係合しないように防止する鍔部を設けたことを特徴とする請求項１または請求項２に記載の天井埋込型空気調和機。
【請求項４】
前記駆動モータの駆動軸に、先端部が前記風向変更板の回動軸先端に対向するクランクを連続形成してその先端部にクランクピンを添設する一方、同クランクピンに対応して前記回動軸の軸芯から少許ずらせた位置に駆動用係合孔を穿設し、同駆動用係合孔の円周方向に対し前記クランクピンを摺動自在に係合して、前記風向変更板を駆動し回動するようにしたことを特徴とする請求項１または請求項２に記載の天井埋込型空気調和機。
【請求項５】
前記連結部材および前記クランクピンが、合金または合成樹脂によって形成される一方、前記回動軸が潤滑油を含浸した軸受部材からなることを特徴とする請求項１乃至請求項４に記載の天井埋込型空気調和機。
【発明の詳細な説明】
【０００１】
【発明の属する技術分野】
本発明は、天井埋込型空気調和機に係わり、より詳細には、四辺の吹出口に設けられた風向変更板の回動軸を、コスト的に有利な連結部材によって連結し、簡便な構成でなるクランクピンで駆動できるようにした構造に関する。
【０００２】
【従来の技術】
従来の天井埋込型空気調和機は、例えば図１と、図８とで示すように、天井面に埋め込まれた本体ケーシング１の下部に装着された化粧パネル２の四辺に吹出口３を設け、同吹出口３に、支軸部４により風向変更板５を回動自在に軸支し、同風向変更板５の両側に設けられた隣り合う回動軸６を、前記化粧パネル２のコーナ部で、例えばユニバーサルジョイントまたは可撓性を有したプラスチックチューブからなる連結部材7'によって連結するとともに、前記コーナ部の何れか一ヶ所に、前記風向変更板５を駆動するための駆動モータ８を設けてなる構成であった。
【０００３】
しかしながら、前記連結部材7'としてユニバーサルジョイントを採用した場合には、同ユニバーサルジョイントの特性から、図８で示す角度αようにジョイント部が鈍角状になるように構成する必要があることから、該箇所で広範囲のスペースを専有してしまうことになるため、結果的に前記風向変更板５の長手寸法Ａを小さくする必要が生じて前記吹出口３から送出される送風量およびその風向調節が制限され、効果的な空気調和を実現できないという問題を有していた。
また、ユニバーサルジョイント自体は、その構造が複雑であることから、コスト的に不利になってしまうという問題を有していた。
【０００４】
または、前記連結部材7'として可撓性を有したプラスチックチューブ、もしくはコイルばねなどを採用した場合には、前記吹出口３から送出される吹出空気の風圧によって前記風向変更板５が動いてしまうため、同風向変更板５による風向の調節を正確に行えなかったり、同風向変更板５同志の追従性が悪くなって外観性を損ねてしまうという問題を有していた。
【０００５】
【発明が解決しようとする課題】
本発明においては、上記の問題点に鑑み、四辺の吹出口に設けられた風向変更板の回動軸を、コスト的に有利な連結部材によって連結し、簡便な構成でなるクランクピンで駆動できるようにした天井埋込型空気調和機を提供することを目的とする。
【０００６】
【課題を解決するための手段】
本発明は、上記課題を解決するため、化粧パネルの四辺に吹出口を設け、同吹出口に、支軸部により風向変更板を回動自在に軸支し、同風向変更板の両側に設けられた隣り合う回動軸を、前記化粧パネルのコーナ部で連結部材によって連結するとともに、前記コーナ部の何れか一ヶ所に、前記風向変更板を駆動する駆動モータを設けてなる天井埋込型空気調和機において、
前記風向変更板の隣り合う回動軸の長手方向に、軸芯からほぼ同じ位置にずらせた係合孔を穿設する一方、前記連結部材を、前記係合孔に対応して略直角状に折曲形成し、同連結部材の両端部を前記係合孔の円周方向に対し摺動自在に係合して、前記隣り合う回動軸を連結するようにした構成となっている。
【０００７】
また、前記係合孔と、これに対応する前記連結部材とを夫々複数設け、これら複数の連結部材の両端部を複数の係合孔の円周方向に対し摺動自在に係合して、前記隣り合う回動軸を連結するようにした構成となっている。
【０００８】
また、前記連結部材の両真直部に、同連結部材の折曲部が前記係合孔に係合しないように防止する鍔部を設けた構成となっている。
【０００９】
また、前記駆動モータの駆動軸に、先端部が前記風向変更板の回動軸先端に対向するクランクを連続形成してその先端部にクランクピンを添設する一方、同クランクピンに対応して前記回動軸の軸芯から少許ずらせた位置に駆動用係合孔を穿設し、同駆動用係合孔の円周方向に対し前記クランクピンを摺動自在に係合して、前記風向変更板を駆動し回動するようにした構成となっている。
【００１０】
更に、前記連結部材および前記クランクピンが、合金または合成樹脂によって形成される一方、前記回動軸が潤滑油を含浸した軸受部材からなる構成となっている。
【００１１】
【発明の実施の形態】
以下、本発明の実施の形態を、添付図面に基づいた実施例として説明する。
図１と、図２と、図３（Ａ）乃至図３（Ｃ）と、図４乃至図７とにおいて、１は天井埋込型空気調和機を構成して天井面に埋め込まれた本体ケーシング、２は同本体ケーシング１の下部に装着された化粧グリル、３は同化粧グリル２の四辺に設けられた吹出口、５は同吹出口３に支軸部４により回動自在に軸支された風向変更板、６は同風向変更板５の両側に設けられた回動軸、７は前記化粧グリル２のコーナ部2aで前記隣り合う回動軸６を連結するための連結部材、８は前記風向変更板５を駆動するための駆動モータである。
【００１２】
前記風向変更板５の隣り合う回動軸６の長手方向に、一実施例として図３（Ａ）乃至図３（Ｃ）で示すように、軸芯からほぼ同じ位置にずらせた係合孔6aを穿設する一方、前記連結部材７を、前記係合孔6aに対応して略直角状に折曲形成し、同連結部材７の両端部を前記係合孔6aの円周方向に対し摺動自在に係合して、前記隣り合う回動軸６を連結するようにした構成となっており、
これによって、前記駆動モータ８により一枚の前記風向変更板５が駆動され回動するのに伴い、前記回動軸６に係合した前記連結部材７が、図３（Ａ）のａ矢視図およびｂ矢視図で示す位置から、図３（Ｂ）のｃ矢視図およびｄ矢視図で示す位置、図３（Ｃ）のｅ矢視図およびｆ矢視図で示す位置に順次移動することによって、連結された前記風向変更板５を連動させて図４で示す所定の回動角度Θの範囲を回動させるようにした構造となる。
なお、前記連結部材７が、図３（Ａ）のａ矢視図およびｂ矢視図で示す位置から、図３（Ｃ）のｅ矢視図およびｆ矢視図で示す位置に順次移動したのちは、再度、図３（Ｂ）のｃ矢視図およびｄ矢視図で示す位置、図３（Ａ）のａ矢視図およびｂ矢視図で示す位置に順次移動することによって、連結された前記風向変更板５を連動させて往復回動させることができるようになり、同風向変更板５の回動軸６を、コスト的に有利な前記連結部材７によって連結できるようにした構造となる。
【００１３】
また、他の実施例として図５で示すように、前記係合孔6aと、これに対応する前記連結部材７とを夫々複数設け、これら複数の連結部材７の両端部を複数の係合孔6aの円周方向に対し摺動自在に係合して、前記隣り合う回動軸６を連結するようにした構成となっており、
これによって、とくに前記風向変更板５をより円滑に、かつ大きい回動角度で回動させることができるようにした構造となる。
【００１４】
また、前記連結部材７の両真直部に、図６で示すように、同連結部材７の折曲部が前記係合孔6aに係合しないように防止するための鍔部7aを設けたことにより、前記連結部材７の両真直部を前記隣り合う回動軸６の係合孔6aに正確に係合させて、同隣り合う回動軸６を円滑に連結できるようにした構成となっている。
【００１５】
また、前記駆動モータ８の駆動軸に、図２と図７とで示すように、先端部が前記風向変更板５の回動軸６先端に対向するクランク９を連続形成してその先端部にクランクピン10を添設する一方、同クランクピン10に対応して前記回動軸６の軸芯から少許ずらせた位置に駆動用係合孔6a' を穿設し、同駆動用係合孔6a' の円周方向に対し前記クランクピン10を摺動自在に係合して、前記風向変更板５を駆動し回動するようにした構成となっており、
これによって、前記駆動モータ８の駆動力を前記風向変更板５に伝達する際、例えば歯車やカム等を使用することなく、前記クランク９、前記クランクピン10および前記回動軸６の駆動用係合孔6a' からなる簡便な構成により正確に伝達できるようにした構造となる。
【００１６】
更に、前記連結部材７および前記クランクピン10が、合金または合成樹脂によって形成される一方、前記回動軸６が潤滑油を含浸した軸受部材からなる構成としたことにより、前記連結部材７と前記係合孔6aとの係合部、および前記クランクピン10と前記駆動用係合孔6a' との係合部を、更に円滑に係合させることができるようにした構造となる。
【００１７】
以上の構成により、図１と、図２と、図３（Ａ）乃至図３（Ｃ）と、図４乃至図７とで示すように、前記風向変更板５の隣り合う回動軸６の長手方向に、軸芯からほぼ同じ位置にずらせた単数または複数の係合孔6aを穿設する一方、前記連結部材７を、前記係合孔6aに対応して略直角状に折曲形成し、同連結部材７の両端部を前記係合孔6aの円周方向に対し摺動自在に係合して、前記隣り合う回動軸６を連結するようにしたので、前記駆動モータ８の駆動力を伝達する前記クランクピン10により一枚の前記風向変更板５が駆動され回動するのに伴い、コスト的に有利な構成でなる前記連結部材７により連結された前記風向変更板５を連動させて、正確に回動させるようにした天井埋込型空気調和機となる。
【００１８】
【発明の効果】
以上のように本発明によると、四辺の吹出口に設けられた風向変更板の回動軸を、コスト的に有利な連結部材によって連結し、簡便な構成でなるクランクピンで駆動できるようにした天井埋込型空気調和機となる。
【図面の簡単な説明】
【図１】本発明による天井埋込型空気調和機の断面図である。
【図２】本発明による天井埋込型空気調和機の下面から見た矢視図である。
【図３】本発明による天井埋込型空気調和機の一実施例を示す要部説明図で、（Ａ）乃至（Ｃ）により、風向変更板の回動軸を連結した連結部材の位置によって同回動軸が回動する状態を示す。
【図４】図３で示した風向変更板の回動軸の回動に伴い、同風向変更板が回動する角度範囲を示す断面図である。
【図５】本発明による天井埋込型空気調和機の他の実施例を示す要部説明図である。
【図６】図５で示した他の実施例における連結部材に鍔部を設けた状態を示す要部説明図である。
【図７】本発明による天井埋込型空気調和機の風向変更板を駆動するモータおよびその駆動力を伝達するための構造を示す説明図である。
【図８】従来例による天井埋込型空気調和機の風向変更板および連結部材と駆動用のモータを示す斜視図である。
【符号の説明】
１  本体ケーシング
２  化粧グリル
2a  コーナ部
３  吹出口
４  支軸部
５  風向変更板
６  回動軸
6a  係合孔
6a' 駆動用係合孔
７  連結部材
7a  鍔部
８  モータ
９  クランク
10  クランクピン
【図１】
0003843614.tif 000002
【図２】
0003843614.tif 000003
【図３】
0003843614.tif 000004
【図４】
0003843614.tif 000005
【図５】
0003843614.tif 000006
【図６】
0003843614.tif 000007
【図７】
0003843614.tif 000008
【図８】
0003843614.tif 000009